(57)【要約】【課題】大量の洗浄液を短時間で加温し、かつ、その供給量を精度よく検出する。【解決手段】洗浄液を貯留した洗浄液容器２を収容する密閉式の保温室３と、該保温室３内に加熱された空気Ａを流動させる温風供給手段４と、保温室３内に配置され、洗浄液容器２を吊り下げ式に保持して洗浄液を貯留した洗浄液容器２の重量を測定する重量測定部５とを備え、温風供給手段４が、保温室３内への加熱空気Ａの流入方向の延長線上に洗浄液容器２が配置されない位置に、加熱空気Ａの流入口１３を備える洗浄液加温装置１を提供する。【選択図】図１
2012055411.tif 000002
【特許請求の範囲】
【請求項１】
洗浄液を貯留した洗浄液容器を収容する密閉式の保温室と、
該保温室内に加熱された空気を流動させる温風供給手段と、
前記保温室内に配置され、前記洗浄液容器を吊り下げ式に保持して前記洗浄液を貯留した前記洗浄液容器の重量を測定する重量測定部とを備え、
前記温風供給手段が、前記保温室内への加熱空気の流入方向の延長線上に前記洗浄液容器が配置されない位置に、加熱空気の流入口を備える洗浄液加温装置。
【請求項２】
前記加熱空気の流入方向が前記保温室の内壁に沿って配置されている請求項１に記載の洗浄液加温装置。
【請求項３】
前記温風供給手段が、前記重量測定部により測定された洗浄液容器の重量が減少するに従って前記温風供給手段により前記保温室内に供給する加熱空気の流量を低下させる請求項１または請求項２に記載の洗浄液加温装置。
【発明の詳細な説明】
【技術分野】
【０００１】
本発明は、洗浄液加温装置に関するものである。
【背景技術】
【０００２】
従来、リンゲル輸液や輸血液を体温に合わせて加温する輸液加温装置が知られている（例えば、特許文献１参照。）。
この輸液加温装置は、リンゲル輸液や輸血液を収容する輸血バッグと、人体に穿刺される注射針との間の連結管に配置された加温部を備え、連結管内を流動するリンゲル液や輸血液を、その流動の間に人体の温度まで加温するようになっている。
【先行技術文献】
【特許文献】
【０００３】
【特許文献１】特開２００３−２１０５８０号公報
【発明の概要】
【発明が解決しようとする課題】
【０００４】
しかしながら、特許文献１に開示されている輸液加温装置は、極めて遅いペースで人体に点滴されるリンゲル輸液や輸血液を加温するものであるため、大量の輸液を供給する場合には適していない。すなわち、大量の輸液を短時間で供給する場合には、連結管に流れる流量を大きくする必要があるが、連結管の流通断面積を大きくすると、短時間で効率的に加温することができない。その結果、連結管の長さを極めて長くする必要があり、使い捨てにする場合には無駄が多いという問題もある。また、そのような長い連結管を加温部に装着することも困難であり、装着作業に時間がかかるとともに、加温部からの熱を有効に輸液の加温に利用することも困難になるという問題がある。
【０００５】
また、脂肪組織等の生体組織から生体組織由来細胞を採取する際に、生体組織あるいは生体組織由来細胞を洗浄するために大量の洗浄液を供給する場合に、その洗浄液の供給量を精度よく検出できるようになっていることが望ましい。
本発明は上述した事情に鑑みてなされたものであって、大量の洗浄液を短時間で加温することができ、かつ、その供給量を精度よく検出することができる洗浄液加温装置を提供することを目的としている。
【課題を解決するための手段】
【０００６】
上記目的を達成するために、本発明は以下の手段を提供する。
本発明は、洗浄液を貯留した洗浄液容器を収容する密閉式の保温室と、該保温室内に加熱された空気を流動させる温風供給手段と、前記保温室内に配置され、前記洗浄液容器を吊り下げ式に保持して前記洗浄液を貯留した前記洗浄液容器の重量を測定する重量測定部とを備え、前記温風供給手段が、前記保温室内への加熱空気の流入方向の延長線上に前記洗浄液容器が配置されない位置に、加熱空気の流入口を備える洗浄液加温装置を提供する。
【０００７】
本発明によれば、保温室内の重量測定部に、洗浄液を貯留した洗浄液容器を吊り下げ式に保持させて、保温室を密閉し、温風供給部によって保温室内に加熱空気を供給することにより、洗浄液を洗浄液容器ごと所望の温度に加温することができる。この場合に、加熱空気の強制的な供給によって保温室全体をムラなく加温するので、大量の洗浄液を短時間で加温することができる。また、加熱空気の流入方向の延長線上に洗浄液容器が配置されない位置に設定された流入口から加熱空気を保温室内に供給するので、洗浄液容器が加熱空気の流動によって大きく揺れることが防止され、重量測定部により重量を精度よく測定することができる。
【０００８】
上記発明においては、前記加熱空気の流入方向が前記保温室の内壁に沿って配置されていてもよい。
このようにすることで、加熱空気を洗浄液容器が配置されていない保温室の内壁に沿って流動させることができる。
【０００９】
また、上記発明においては、前記温風供給手段が、前記重量測定部により測定された洗浄液容器の重量が減少するに従って前記温風供給手段により前記保温室内に供給する加熱空気の流量を低下させてもよい。
このようにすることで、洗浄液の供給が行われて軽くなり、揺れやすくなった洗浄液容器が加熱空気の流動によって揺れることを軽減でき、重量測定を継続的に精度よく測定することができる。
【発明の効果】
【００１０】
本発明によれば、大量の洗浄液を短時間で加温することができ、かつ、その供給量を精度よく検出することができるという効果を奏する。
【図面の簡単な説明】
【００１１】
【図１】本発明の一実施形態に係る洗浄液加温装置を示す縦断面図である。
【図２】図１の洗浄液加温装置の変形例を示す縦断面図である。
【図３】図１の洗浄液加温装置の変形例を示す縦断面図である。
【図４】図１の洗浄液加温装置の変形例を示す縦断面図である。
【発明を実施するための形態】
【００１２】
本発明の一実施形態に係る洗浄液加温装置１について、図面を参照して以下に説明する。
本実施形態に係る洗浄液加温装置１は、図１に示されるように、直方体のボックス状に形成され、洗浄液を貯留した洗浄液容器２を収容する保温室３と、該保温室３内に加熱された空気Ａを供給する温風供給手段４と、保温室３内に収容されている洗浄液容器２の重量を測定する重量測定部５とを備えている。
【００１３】
洗浄液容器２は、例えば、ポリエチレン製の輸血バッグのように構成されている。洗浄液容器２には保温室の外部に引き出される配管６が接続されており、加温された洗浄液が、配管６を介して保温室３の外部に供給されるようになっている。
【００１４】
保温室３は、図１に示される例では、その一側面に開閉可能な扉３ａを備えている。符号３ｂは扉が閉鎖された際に保温室３内を密閉するシール部材である。
また、保温室３内には、保温室３の上部、下部および扉３ａとは反対側の側面に隙間７ａ，７ｂ，７ｃを形成するように区画する区画壁８ａ，８ｂ，８ｃが設けられている。
【００１５】
上部区画壁８ａには、上下に貫通する貫通孔９が設けられ、該貫通孔９に、保温室３の内部空間の空気を上部区画壁８ａと保温室３の天井面との間の隙間７ａに送るファン１１が設けられている。
また、上部区画壁８ａには、洗浄液を貯留した洗浄液容器２を吊り下げるフック５ａを備える重量測定部５が固定されている。重量測定部５はフック５ａに吊り下げた洗浄液容器２の重量を測定するようになっている。
【００１６】
側部区画壁８ｂには、ラバーヒータのような平板状の加熱装置１２が設けられている。側部区画壁８ｂと保温室３の内側面との間に形成される薄く平坦な隙間７ｂに平板状の加熱装置１２が配置されることにより、その隙間７ｂを流通する空気を迅速に所望の温度まで加熱することができるようになっている。これら加熱装置１２およびファン１１によって温風供給手段４が構成されている。
【００１７】
下部区画壁８ｃには、上下に貫通する複数の吐出口１３が設けられている。側部区画壁８ｂと保温室３の内側面との隙間７ｂを通過して加熱された空気Ａは、下部区画壁８ｃと保温室３の底面との間の隙間７ｃに流入した後、これらの吐出口１３から内部空間１０へ吐出されるようになっている。
【００１８】
吐出口１３は、図１に示されるように、重量測定部５のフック５ａに吊り下げられた洗浄液容器２の鉛直下方から外れた位置に配置されている。すなわち、洗浄液容器２は、加熱された空気Ａの吐出方向の延長線上から外れた位置に配置されている。これにより、吐出口１３から吐出される加熱された空気Ａは、フック５ａに吊り下げられている洗浄液容器２に直接吹きかけられることなく、内部空間１０内に供給され、内部空間１０内を流動させられて上昇し、上部区画壁８ａのファン１１によって内部空間１０から排出されるようになっている。
【００１９】
このように構成された本実施形態に係る洗浄液加温装置１の作用について以下に説明する。
本実施形態に係る洗浄液加温装置１を用いて洗浄液を加温するには、保温室３の扉３ａを開いて、上部区画壁８ａに設けられた重量測定部５のフック５ａに、洗浄液を貯留した洗浄液容器２を吊り下げる。これにより、洗浄液容器２は保温室３の内部空間１０に吊り下げられた状態に収容される。
【００２０】
この状態で加熱装置１２およびファン１１を作動させる。
これにより、内部空間１０の空気が、ファン１１によって上部区画壁８ａの上方の隙間７ａに引き出され、側部区画壁８ｂ側方の隙間７ｂを下降させられる。そして、空気は、側部区画壁８ｂ側方の隙間７ｂを下降させられる間に、側部区画壁８ｂに設けられた加熱装置１２によって加熱され、その後、下部区画壁８ｃの下方の隙間７ｃに流入させられる。
【００２１】
下部区画壁８ｃ下方の隙間７ｃに流入した加熱空気Ａは、その隙間７ｃに滞留した後、吐出口１３から内部空間１０に向けて吐出される。内部空間１０に吐出された加熱空気Ａは、内部空間Ａ内を流動させられて、洗浄液容器２内の洗浄液を加温しながら上昇し、上部区画壁８ａのファン１１によって再度内部空間１０から放出される。これにより、加熱空気Ａがファン１１によって強制循環させられる。
【００２２】
このように、本実施形態に係る洗浄液加温装置１によれば、保温室３の内部空間１０に加熱空気Ａを強制循環させて洗浄液容器２ごと洗浄液を加温するので、内部空間１０内の温度分布のムラを低減し、大量の洗浄液を迅速に所望の温度に加温することができる。
【００２３】
この場合において、本実施形態に係る洗浄液加温装置１によれば、吐出口１３から内部空間１０に吐出される加熱空気Ａが、内部空間１０に吊り下げ式に収容されている洗浄液容器２に直接吹きかけられないので、洗浄液容器２が大きく揺れないように保持される。
フック５ａに吊り下げられた洗浄液容器２は、重量測定部５によってその重量を測定される。これにより、洗浄液容器２内の洗浄液の使用量をリアルタイムに検出することができる。
【００２４】
特に、本実施形態に係る洗浄液加温装置１によれば、強制循環される加熱空気Ａによって洗浄液容器２が揺らされないので、重量測定部５により測定される洗浄液容器２の重量の測定精度を向上することができるという利点がある。
【００２５】
なお、本実施形態においては、下部区画壁８ｃに設ける内部空間１０への加熱空気Ａの吐出口１３自体を加熱空気Ａが洗浄液容器２に直接吹きかけられない位置に設けることとしたが、これに代えて、図２に示されるように、内部空間１０への吐出口１３の位置を任意に設定し、該吐出口１３からの吐出方向を遮る位置に、加熱空気Ａの流れを遮る遮蔽板１４を設け、該遮蔽板１４からの加熱空気Ａの吐出口１４ａを、加熱空気Ａが洗浄液容器２に直接吹きかけられない位置に配置してもよい。
【００２６】
また、図３に示されるように、内部空間１０への加熱空気Ａの吐出口１３を側部区画壁８ｂの下部に設けてもよいし、加熱空気Ａが側壁内面に沿って流動するように、側壁近傍に設けてもよい。
また、図４に示されるように、重量測定部５により測定された重量に基づいてファン１１を制御する制御部１５を設けてもよい。制御部１５は、測定された洗浄液容器２の重量が小さくなっていくに従って、ファン１１の回転速度を低下させるようにすることで、加熱空気Ａの流動による洗浄液容器２の揺れを軽減して、重量測定を精度よく行うことができる。
【符号の説明】
【００２７】
Ａ  加熱空気
１  洗浄液加温装置
２  洗浄液容器
３  保温室
４  温風供給手段
５  重量測定部
１３，１４ａ  吐出口（流入口）
【図１】
2012055411.tif 000003
【図２】
2012055411.tif 000004
【図３】
2012055411.tif 000005
【図４】
2012055411.tif 000006